(57)【要約】【課題】ユーザーの聞きやすい音を簡単な操作で実現することが可能なテレビジョン装置を提供する。【解決手段】テレビジョン装置１００に、音を出力するスピーカ１３と、複数の音設定を記憶する音設定記憶部１５と、複数の音設定から一の音設定を選択する音設定選択部２０と、音設定をスピーカ１３から出力される音に適用する音制御部１４と、音設定を選択して行われた視聴の終了時の音設定を音設定記憶部１５の音設定に反映させる音設定変更部２１と、を備えさせる。【選択図】図３
2011160120.tif 000002
【特許請求の範囲】
【請求項１】
音を出力するスピーカと、
複数の音設定を記憶する音設定記憶部と、
複数の音設定から一の音設定を選択する音設定選択部と、
上記音設定を上記スピーカから出力される音に適用する音制御部と、
上記音設定を選択して行われた視聴の終了時の音設定を上記音設定記憶部の音設定に反映させる音設定変更部と、
を備えることを特徴とするテレビジョン装置。
【請求項２】
各ユーザーの使用履歴を記憶する履歴記憶部を更に備え、
上記音制御部は、ユーザーの使用履歴に応じた音設定を上記スピーカへの音出力に適用する請求項１に記載のテレビジョン装置。
【請求項３】
時間情報を出力するタイマ部を更に備え、
上記履歴記憶部は、各時間帯における使用履歴を記憶しており、
上記音制御部は、上記タイマ部の出力する時間情報の属する時間帯に対応した上記使用履歴に応じた音設定を上記スピーカへの音出力に適用する請求項１または請求項２に記載のテレビジョン装置。
【請求項４】
上記音制御部は、視聴中に上記タイマ部の出力する時間情報の属する時間帯が変化すると、前の時間帯の上記使用履歴に応じた音設定から、現在の時間帯の上記使用履歴に応じた音設定へ徐々に音設定を変化させていく請求項３に記載のテレビジョン装置。
【請求項５】
ＥＰＧ（Electronic Program Guide）を取得するＥＰＧ取得部を更に備え、
上記履歴記憶部は、視聴された番組の種類を上記ＥＰＧに基づいて特定し、番組種類毎の使用履歴を記憶しており、
上記音制御部は、視聴中の番組の種類を上記ＥＰＧに基づいて特定し、特定された番組種類の上記使用履歴に応じた音設定を上記スピーカへの音出力に適用する請求項１〜請求項４の何れか１項に記載のテレビジョン装置。
【請求項６】
上記音制御部は、上記音設定選択部によって音設定が選択されると、現在の音設定から該選択された音設定まで徐々に音設定を変化させていく請求項１〜請求項５の何れか１項に記載のテレビジョン装置。
【請求項７】
上記音設定変更部は、上記音設定選択部によって音設定が選択されたときに現在の音設定から該選択された音設定まで徐々に音設定を変化させていくか否かを設定可能である請求項６に記載のテレビジョン装置。
【請求項８】
上記音設定変更部は、上記音設定を選択して行われた視聴の終了時の音設定を上記音設定記憶部の音設定に反映させるか、使用履歴に応じた音設定を上記スピーカへの音出力に適用するか、の選択が可能である上記請求項１〜請求項７の何れか１項に記載のテレビジョン装置。
【請求項９】
映像表示の種類を特定する映像表示特定部を更に備え、
上記履歴記憶部は、上記映像表示特定部の特定した映像表示の種類毎の使用履歴を記憶しており、
上記音制御部は、視聴中の番組の映像表示の種類に対応する使用履歴に応じた音設定を上記スピーカへの音出力に適用する請求項１〜請求項８の何れか１項に記載のテレビジョン装置。
【発明の詳細な説明】
【技術分野】
【０００１】
本発明は、テレビジョン装置に関し、特に、音に関する設定値を記憶するための記憶媒体を備えたテレビジョン装置に関する。
【背景技術】
【０００２】
特許文献１には、周囲の音圧レベルと音量とを対応付けてユーザー毎に作成した音量設定テーブルをメモリーに記憶しておいて、電源投入時の音量を音量設定テーブルに基づいて決定することが記載されている。
【０００３】
特許文献２には、ユーザーが利用開始の際に行った設定（画面設定、音声設定など）を設定時または装置の利用終了時に記憶部に転送して記憶し、その後、ユーザーが装置の利用を再開するときにはユーザーを識別して該ユーザーに対応した設定を記憶部から読み出して適用することについて記載されている。
【０００４】
特許文献３には、複数のユーザの各々の設定値群がレジスターに予め登録されており、オペレータが何らかの制御キーを押したとき、そのオペレータが予め登録した調整値に従って出力コンテンツの品質例えば音量，画質，音質などを調整することについて記載されている。
【０００５】
特許文献４には、ユーザーが電源を立ち上げると、標準の状態による設定により音声信号処理回路が設定されて電源が立ち上げられ、その後、ユーザーが自分用の操作子を操作して２桁の数字を入力すると、対応する状態記録メモリーの内容より、この２桁の数字による番組視聴時の状態が再現されると記載されている。
【先行技術文献】
【特許文献】
【０００６】
【特許文献１】特開２００９−１１８０３３号公報
【特許文献２】特開２００７−３１２０５５号公報
【特許文献３】特開２００５−２５２５７７号公報
【特許文献４】特開２００２−３４５０７３号公報
【発明の概要】
【発明が解決しようとする課題】
【０００７】
以上説明した技術では、ユーザーが自分の嗜好に合った適切な音設定を予め登録しておけば、その音設定を呼び出して装置に適用することができる。しかしながら、ユーザーにとって聞きやすい音は、ユーザーの心境や環境、身体状況、視聴時間帯、視聴している番組の種類、などの様々な要因に影響されて変化するものであり、視聴中であっても音量の変更などは比較的頻繁に行われる。また、ＣＭや所用で離席する間に電源をオフにし、短時間で戻ってきて番組の続きの視聴を再開することもある。このような状況は上述した発明では十分に解決されておらず、さらなる工夫が待ち望まれていた、
【０００８】
本発明は、上記課題に鑑みてなされたもので、ユーザーの聞きやすい音を簡単な操作で実現することが可能なテレビジョン装置の提供を目的とする。
【課題を解決するための手段】
【０００９】
上記課題を解決するために、本発明にかかるテレビジョン装置は、音を出力するスピーカと、複数の音設定を記憶する音設定記憶部と、複数の音設定から一の音設定を選択する音設定選択部と、上記音設定を上記スピーカから出力される音に適用する音制御部と、上記音設定を選択して行われた視聴の終了時の音設定を上記音設定記憶部の音設定に反映させる音設定変更部と、を備える構成としてある。該構成によれば、各ユーザーが最近に視聴した時の音設定を再現できるため、ユーザーにとって最も聞きやすい音になる可能性が高い。
【００１０】
また、本発明の選択的な一態様として、各ユーザーの使用履歴を記憶する履歴記憶部を更に備え、上記音制御部は、ユーザーの使用履歴に応じた音設定を上記スピーカへの音出力に適用するようにしてもよい。該構成によれば、過去のユーザーの使用履歴に基づいて音設定を行うため、統計的にユーザーの嗜好を適切に反映した音設定が行われる。
【００１１】
また、本発明の選択的な一態様として、時間情報を出力するタイマ部を更に備え、上記履歴記憶部は、各時間帯における使用履歴を記憶しており、上記音制御部は、上記タイマ部の出力する時間情報の属する時間帯に対応した上記使用履歴に応じた音設定を上記スピーカへの音出力に適用するようにしてもよい。該構成によれば、時間帯ごとに最適な音設定を適用できるようになる。
【００１２】
また、本発明の選択的な一態様として、上記音制御部は、視聴中に上記タイマ部の出力する時間情報の属する時間帯が変化すると、前の時間帯の上記使用履歴に応じた音設定から、現在の時間帯の上記使用履歴に応じた音設定へ徐々に音設定を変化させていくようにしてもよい。該構成によれば、長時間にわたる視聴などで周囲の環境が変化したときに、その時間帯に最適な音設定が自動的に適用されるようになる。また、その際、音設定を徐々に変更することにより、視聴中のユーザーや周囲の人間に違和感を与えたりせずに済む。
【００１３】
また、本発明の選択的な一態様として、ＥＰＧ（Electronic Program Guide）を取得するＥＰＧ取得部を更に備え、上記履歴記憶部は、視聴された番組の種類を上記ＥＰＧに基づいて特定し、番組種類毎の使用履歴を記憶しており、上記音制御部は、視聴中の番組の種類を上記ＥＰＧに基づいて特定し、特定された番組種類の上記使用履歴に応じた音設定を上記スピーカへの音出力に適用するようにしてもよい。該構成によれば、番組種類に応じたユーザーの嗜好を反映した最適な音設定が適用される。
【００１４】
また、本発明の選択的な一態様として、上記音制御部は、上記音設定選択部によって音設定が選択されると、現在の音設定から該選択された音設定まで徐々に音設定を変化させていくようにしてもよい。該構成によれば、ユーザーや周囲の人間に違和感を与えたりせずに済む。
【００１５】
また、本発明の選択的な一態様として、上記音設定変更部は、上記音設定選択部によって音設定が選択されたときに現在の音設定から該選択された音設定まで徐々に音設定を変化させていくか否かを設定可能であってもよい。ユーザーによっては、徐々に設定が変更されることを好まない場合もあるため、このようなユーザーにも対応可能となる。
【００１６】
また、本発明の選択的な一態様として、上記音設定変更部は、上記音設定を選択して行われた視聴の終了時の音設定を上記音設定記憶部の音設定に反映させるか、使用履歴に応じた音設定を上記スピーカへの音出力に適用するか、の選択が可能であってもよい。該構成によれば、ユーザーが音設定の適用の仕方を選択できるためユーザビリティが向上する。
【００１７】
また、本発明の選択的な一態様として、映像表示の種類を特定する映像表示特定部を更に備え、上記履歴記憶部は、上記映像表示特定部の特定した映像表示の種類毎の使用履歴を記憶しており、上記音制御部は、視聴中の番組の映像表示の種類に対応する使用履歴に応じた音設定を上記スピーカへの音出力に適用するようにしてもよい。該構成によれば、映像表示の態様に応じた最適な音設定が行われる。
【発明の効果】
【００１８】
以上説明したように本発明によれば、各ユーザーが最近に視聴した時の音設定を再現できるため、ユーザーの聞きやすい音を簡単な操作で実現することが可能なテレビジョン装置を提供することができる。
また請求項２にかかる発明によれば、統計的にユーザーの嗜好を適切に反映した音設定が行える。
また請求項３にかかる発明によれば、時間帯ごとに最適な音設定を適用できるようになる。
また請求項４にかかる発明によれば、長時間にわたる視聴などで周囲の環境が変化したときに、その時間帯に最適な音設定が自動的に適用されるようになる。また、その際、音設定を徐々に変更することにより、視聴中のユーザーや周囲の人間に違和感を与えたりせずに済む。
また請求項５にかかる発明によれば、番組種類に応じたユーザーの嗜好を反映した最適な音設定が適用される。
また請求項６にかかる発明によれば、ユーザーや周囲の人間に違和感を与えたりせずに済む。
また請求項７にかかる発明によれば、徐々に設定が変更されることを好まないユーザーにも対応可能となる。
また請求項８にかかる発明によれば、ユーザーが音設定の適用の仕方を選択できるためユーザビリティが向上する。
また請求項９にかかる発明によれば、映像表示の態様に応じた最適な音設定が行われる。
【図面の簡単な説明】
【００１９】
【図１】テレビジョン装置の構成を示すブロック図である。
【図２】リモコンの一例である。
【図３】音制御処理の流れを示すフローチャートである。
【図４】ユーザー選択画面の一例である。
【図５】履歴情報の一例を示す図である。
【発明を実施するための形態】
【００２０】
以下、下記の順序に従って本発明の実施形態を説明する。
（１）本実施形態の構成：
（２）音制御処理：
（３）まとめ：
【００２１】
（１）本実施形態の構成： 
図１は、本発明の一実施形態にかかるテレビジョン装置の構成を示すブロック図である。同図に示すように、テレビジョン装置１００は、リモコンと該リモコンのリモコン信号を受信して制御信号に変換するリモコン受信部とにより構成される操作部１１と、入力された映像信号に基づく映像を表示する表示部１２と、入力された音声信号に基づく音を出力するスピーカ１３と、スピーカに出力される音を制御する音制御部１４と、不揮発性の記憶媒体で構成される音設定記憶部１５と、不揮発性の記憶媒体で構成される履歴記憶部１６と、現在の時間情報を出力するタイマ部１７と、インターネットからＥＰＧ（Electronic Program Guide）を取得するＥＰＧ取得部１８と、映像のアスペクト比等から映像表示の種類を特定する映像表示特定部１９と、音設定記憶部１５に記憶されている音設定の中から何れかを選択して上記音制御部に適用させる音設定選択部２０と、不揮発性の記憶媒体に記憶された音設定に関する設定変更を行う音設定変更部２１と、ユーザーの視聴状況に関する視聴履歴を作成する履歴情報作成部２２と、に相当する機能を備えている。
【００２２】
なお、操作部は操作パネルなどで構成してもよい。また、表示部１２に表示される映像は、アンテナやチューナーを介して受信したテレビ放送信号に基づくものであってもよいし、外部入力端子から入力された映像信号に基づくものであってもよいし、インターネットから取得した各種コンテンツデータに基づくものであってもよい。また、スピーカ１３に出力される音も、アンテナやチューナーを介して受信したテレビ放送信号に基づくものであってもよいし、外部入力端子から入力された音声信号に基づくものであってもよいし、インターネットから取得した各種コンテンツデータに基づくものであってもよい。すなわち、映像や音声のソースは様々に変更可能である。また、音設定記憶部１５と履歴記憶部１６とは、同一の記憶媒体で構成してもよいし、異なる記憶媒体で構成してもよい。
【００２３】
図２は操作部１１としてのリモコンの一例である。同図に示すリモコンは、一般的なリモコンのボタン構成を備えており、主として、電源ボタン１１ａ、複数のチャンネルボタン１１ｂ、ＥＰＧボタン１１ｃ、チャンネルアップボタン１１ｄ、チャンネルダウンボタン１１ｅ、音量アップボタン１１ｆ、音量ダウンボタン１１ｇ、音設定ボタン１１ｈ、カーソル移動ボタン１１ｊ、決定ボタン１１ｋ、などを備えている。
【００２４】
（２）音制御処理： 
次に、以上の構成により実行される音制御処理について説明する
図３は音制御処理の流れを示すフローチャートである。同図に示す処理は、テレビジョン装置１００の電源がオンされたときに開始され、テレビジョン装置１００の電源がオフされたときに終了する。
【００２５】
操作部１１の電源ボタン１１ａが押下げされるなどしてテレビジョン装置１００の電源がオンされると処理が開始され、例えば、テレビ放送などに基づいて表示部１２に映像が表示され、スピーカ１３から音が出力されるため、ユーザーは映像や音声の視聴を開始することになる（ステップＳ１００）。ここで、ユーザー確認を行って視聴しているユーザーを特定すると（ステップＳ１０５）、そのユーザーの聞きやすい音設定を適用することになる（ステップＳ１１０，Ｓ１２５，Ｓ１１５）。
【００２６】
例えば、ステップＳ１０５では、図４の画面を表示する。図４はユーザー選択画面の一例であり、テレビジョン装置１００に対して登録済みのユーザー名の一覧が表示されている。ユーザーは、操作部１１のカーソル移動ボタン１１ｊを操作して自身のユーザー名を選択し、決定ボタン１１ｋを押すことにより、ユーザーを特定する。すると、ステップＳ１１０において、そのユーザーがラスト情報による音設定を選択しているか履歴情報による音設定を選択しているかを判断する。
【００２７】
音設定記憶部１５には、これらいずれの設定手法を希望するかの設定値が予めユーザーによって設定・記憶されており、この設定値を参照することにより、ステップＳ１１０の判断を行うことができる。むろん、ステップＳ１１０で設定手法を選択するための選択画面を表示してユーザーに選択させてもよい。
【００２８】
ステップＳ１１０においてラスト情報が選択されると、音制御部１４は、音設定記憶部１５に記憶されている複数の音設定の中から、ユーザーに対応付けられている音設定を取得し、選択された音設定をスピーカ１３への音出力に適用する（ステップＳ１１５）。音制御部１４は、スピーカ１３へ出力される音声信号を増幅したり、音声信号に基づいて左右のスピーカや前後のスピーカなどの複数のスピーカへ出力する複数の音声信号を作成したりする。また音制御部１４は、音声信号の周波数ごとに増幅率を変えることにより、トーン調整を行うこともできる。
【００２９】
ステップＳ１１０において履歴情報が選択されると、音制御部１４は、ステップＳ１０５において特定されたユーザーの履歴情報を参照して現在のユーザーの状況などを判断しつつユーザーに最適な音設定を選択し、これを適用する（ステップＳ１２５）。なお、以上のステップＳ１１５とステップＳ１２５において音設定を適用する際は、適用前と適用後との間で、音設定を徐々に変化させていくことが望ましい。例えば、音設定の各設定値の間で、適用前の値から適用後の値までリニアに変化するように徐々に設定値を変化させていく。このようにすることで、急激な音量の変化などを防止し、ユーザーに違和感を与えたり、その他の周囲に居る人たちの迷惑になったりすることを防止できる。
【００３０】
図５は、履歴情報の一例を示す図である。同図に示すように、履歴情報はテレビジョン装置１００のユーザーの使用履歴を示すものであり、例えば、ユーザー名、映像種類、音量、音質、サラウンド、視聴時間帯、映像表示種類、が含まれている。すなわち、ユーザーが過去に視聴したときの使用状況が記録されている。むろん、履歴情報はユーザー毎に作成されていてもよい。これらの履歴情報は、後述のステップＳ１４０において履歴情報作成部２２によって作成され、履歴記憶部１６に記憶される。
【００３１】
この音制御部１４は、履歴記憶部１６に記憶されている履歴情報の中から、現在のユーザーの状況と同じ状況（ユーザー、映像種類、視聴時間帯、映像表示種類等）において設定されていた音設定（音量、音質、サラウンドなど）を特定し、特定された音設定について視聴時間などで重み付けして加重平均した音設定を適用することができる。
【００３２】
また、履歴情報による音設定が選択された場合は、ステップＳ１２５において音設定が完了した後、所定時間おきに時間帯の確認が行われる（ステップＳ１３０）。すなわち、音制御部１４は、視聴中にタイマ部１７の出力する時間情報を取得しており、この時間情報の属する時間帯が変化すると、ステップＳ１２５に戻って履歴情報に基づく音設定を、やり直す。一方、時間帯が変更していないときは、ステップＳ１３５に進む。
【００３３】
なお、ステップＳ１３０からステップＳ１２５に戻って履歴情報に基づく音設定が再設定されたときは、前の時間帯の使用履歴に応じた音設定から、現在の時間帯の使用履歴に応じた音設定へ徐々に音設定を変化させていく。このときの変化は、例えば、リニアに変化させることが考えられる。このように徐々に変化させることにより、いきなり音設定が変更されてユーザーが戸惑ったり不快感をおぼえたりすることを防止する。
【００３４】
ステップＳ１２０やステップＳ１３５では、視聴しているユーザーが変更されたか否かを判断する。この判断は、上述した図４のユーザー設定画面が呼び出されて、他のユーザーが選択されたか否かにより判断することができる。他のユーザーに変更されたときは、ステップＳ１４０に進み、ユーザー変更が無い場合は、ステップＳ１３５ではステップＳ１３０に戻り、ステップＳ１２０ではステップＳ１２０の処理を繰り返す。
【００３５】
ステップＳ１４０では、変更前のユーザーに関する履歴情報を作成し、この履歴情報を履歴記憶部１６に追加する。この履歴情報は、ユーザーが選択されてからユーザーが変更するまでの間に履歴情報作成部２２によって収集されている。
例えば、履歴情報作成部２２は、視聴されていた番組のＥＰＧをＥＰＧ取得部から取得して映像の種類を特定し、映像信号のアスペクト比に基づいて映像表示情報を取得し、タイマ部１７から時間情報を取得し、音量や音質やサラウンドといった音設定を現在適用中の音設定を記憶するためのレジスターなどから取得している。履歴情報作成部２２は、これらの情報をまとめて履歴記憶部１６に記憶することになる。むろん、個々に挙げた履歴情報は一例であり、他にも様々なものを履歴情報とすることができる。なお、視聴時間帯は、例えば朝、昼、夕方、夜、深夜、などのように、区分されている。なお、視聴時間帯の区分は、ユーザーが決定できるようにしてもよい。
【００３６】
ステップＳ１４５では、音設定変更部２１は、ラスト情報を反映させるか否かを問合せＵＩ等を表示してユーザーに問合せる。むろん、予めラスト情報を反映させるか否かを設定画面などで設定していれば、この設定値に基づいて本ステップの判断を行ってもよい。ラスト情報を反映させる場合は、ステップＳ１５０に進み、音設定変更部２１が、ユーザーの視聴の終了時であるステップＳ１２０もしくはステップＳ１３５において実際に設定されていた音設定をラスト情報として、ユーザー毎の設定値に保存する。ラスト情報を保存すると、ステップＳ１１０に戻る。一方、ラスト情報を反映させない場合も、ステップＳ１１０に戻る。
【００３７】
なお、上述したステップＳ１１５，Ｓ１２５やステップＳ１３０からステップＳ１２５に戻ったときなどに、徐々に音量を変化させるか否かは、音設定変更部２１の表示する音設定ＵＩなどによってユーザーが設定することが可能であり、任意に変更することが可能である。
【００３８】
（３）まとめ： 
以上説明した実施形態にかかるテレビジョン装置１００は、音を出力するスピーカ１３と、複数の音設定を記憶する音設定記憶部１５と、複数の音設定から一の音設定を選択する音設定選択部２０と、音設定をスピーカ１３から出力される音に適用する音制御部１４と、音設定を選択して行われた視聴の終了時の音設定を音設定記憶部１５の音設定に反映させる音設定変更部２１と、を備えている。このように構成することにより、各ユーザーが最近に視聴した時の音設定を再現できるため、ユーザーの聞きやすい音を簡単な操作で実現することが可能となる。
【００３９】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【符号の説明】
【００４０】
１１…操作部、１１ａ…電源ボタン、１１ｂ…チャンネルボタン、１１ｃ…ＥＰＧボタン、１１ｄ…チャンネルアップボタン、１１ｅ…チャンネルダウンボタン、１１ｆ…音量アップボタン、１１ｇ…音量ダウンボタン、１１ｈ…音設定ボタン、１１ｊ…カーソル移動ボタン、１１ｋ…決定ボタン、１２…表示部、１３…スピーカ、１４…音制御部、１５…音設定記憶部、１６…履歴記憶部、１７…タイマ部、１８…ＥＰＧ取得部、１９…映像表示特定部、２０…音設定選択部、２１…音設定変更部、２２…履歴情報作成部、１００…テレビジョン装置
【図１】
2011160120.tif 000003
【図２】
2011160120.tif 000004
【図３】
2011160120.tif 000005
【図４】
2011160120.tif 000006
【図５】
2011160120.tif 000007